(57)【要約】【課題】写真フイルムピースをマウント本体から取り出すことなく、ＤＸコード、コマ番号、撮影情報などを読み取る。【解決手段】マウント本体１２にＩＣメモリチップ１３を設ける。マウント本体１２に写真フイルムピース１１をセットして、スライドマウント１０を構成する。ＩＣメモリチップ１３に非接触式の通信手段を設けて、写真フイルムピース１１の画像に関する情報（ＤＸコード情報、コマ番号情報、撮影情報など）をＩＣメモリチップ１３に書き込む。スライドマウント１０を用いてプリントする際に、ＩＣメモリチップ１３から情報を読み出す。読み出した情報に基づき画像処理して、印画紙にプリントを行う。印画紙の裏面にコマ番号や撮影情報などを印字する。コマ番号や撮影情報などを簡単に利用することができる。【選択図】　　　　　　　　図１
2004094129.tif 000002
【特許請求の範囲】
【請求項１】
マウント本体に写真フイルムピースを装着してなるスライドマウントにおいて、
情報の読み書きが可能なＩＣメモリチップを備え、
前記ＩＣメモリチップに前記写真フイルムピースに関する情報を記憶することを特徴とするスライドマウント。
【請求項２】
ＩＣメモリチップは、非接触で前記情報の読み書きを行うためのアンテナコイルを含む通信回路と、非接触で電力を得るための受電アンテナコイルを含む電源回路と、ＩＣメモリ本体と、このＩＣメモリ本体への前記情報の読み書きを制御するコントローラとを備えることを特徴とする請求項１記載のスライドマウント。
【請求項３】
請求項１または２記載のスライドマウントを取り扱う機器において、前記写真フイルムピースに関する情報を前記ＩＣメモリチップに書き込み、前記写真フイルムピースを用いて、プリント、投影、表示、検索のいずれかを行う際に前記情報を読み出し、この読み出した情報を用いてプリント、投影、表示、検索のいずれかを行うことを特徴とするスライドマウントの取扱機器。
【発明の詳細な説明】
【０００１】
【発明の属する技術分野】
本発明はスライドマウント及びその取扱機器に関し、特にスライドマウントとこれのマウント加工機器、写真プリンタ、スライドビュア、検索器などの各種取扱機器に関するものである。
【０００２】
【従来の技術】
【特許文献１】
特開平１１−２２３９２９号公報（［００４３］，［００４４］，図４）
【０００３】
写真フイルムピースをマウント本体に装着してスライドマウントにするとき、マウント本体の窓は、写真フイルムピースに記録されている画像のサイズよりも少し小さくしてあるので、画像の周囲部分は窓に隠れてしまう。写真フイルムピースの外側縁部には写真フイルムの種類を表わすＤＸコードおよび前記画像のコマ番号が記録されており、また、撮影情報を記録するカメラを用いた場合には各画像間の余白に撮影情報が文字や記号等で記録されることもある。なお、各画像間の撮影情報は１コマ毎に写真フイルムが切り離されてフイルムピースにされる時に必ずしも適切に残されているとは限らない。このように、１コマ毎に切り離された写真フイルムピースをマウント本体の窓に挟み込んだスライドマウントからは、通常は写真フイルムの種類やコマ番号、撮影情報などが得られなくなってしまっている。
【０００４】
ところで、写真フイルムの種類やコマ番号などの情報、撮影の際に記録される撮影情報などは、撮影者が参考にするばかりではなく、写真プリントを作る側がより良い作業をするために用いる情報でもある。また、写真現像所やプリントショップにおいては、スライドマウントの取り扱いにおいて各オーダーの塊から脱落してしまうおそれもあり、この場合には、迷子となってもとのオーダーを特定するのに時間を要してしまうという問題がある。このような迷子対策として、識別記号を付したラベルを貼付することが行われるが、この場合にはラベルの貼り付けやその剥がしなどのさらなる工程が付加されるため、改善が望まれていた。
【０００５】
上記問題の解決策としては、写真フイルムピースに関する文字、記号、バーコードなどの情報をマウント本体の窓枠に記録しておき、後に光学的に読み取るものや、写真フイルムに磁気層を形成しておきこの磁気層を用いて情報を読み書きするものなどが知られている（例えば、特許文献１）。
【０００６】
【発明が解決しようとする課題】
しかしながら、上記特許文献１に示されるように、文字、記号、バーコードなどをマウント本体に記録する場合には、マウント本体にこれら文字などが表示されるため、これを好まないユーザーもいる。また、文字などを記録するタイプでは書き換えが不可能になるという問題もある。さらに、情報を記録する領域がマウント本体の表裏面であるため狭く、ごく僅かな情報しか記録することができない。また、直接に記録する代わりにシールに印刷してマウント本体に貼ることも考えられるが、この場合には、シールが小さいため充分な接着力が得られないこと、スライドマウントは表面が擦れるような取り扱いを受けることが多く、すぐにシールが剥がれ落ちてしまうなどの問題がある。さらに、バーコードなどを記録する場合には、その読み取りのために正確な位置合わせが必要になることもあり、また読み取る光学系の制約で小型化が難しく高価であるなどの理由から、機器に組み込んで利用するには制約が大きいという問題がある。
【０００７】
また、磁気層記録方式は書き換えが可能となるものの、この場合には読み取りステージと書き込みステージが必要になり、しかも読み取り、消去、書き込みのための搬送路が長くなるため、大がかりな装置構成になってしまうという問題がある。
【０００８】
また、ＩＸ２４０タイプの写真フイルムでは透明磁気層が設けられており、この磁気層に撮影情報やプリント情報などが書き込めるようになっている。しかし、フイルムピースに切り離してしまうと前記情報が分断されて読取不可能になってしまうこともある。また、スライドマウントの形に加工してしまうと、磁気読取ヘッドを写真フイルムピースに接触させることが困難になって、写真フイルムピースの情報を読み取ることができなくなるという問題もある。また、スライドマウントを大量に保存している場合には目的の画像を探すことは容易ではなかった。
【０００９】
本発明は上記課題を解決するためのものであり、スライドマウントに各種情報を印刷したり磁気記録したりすることなく、簡単に画像のプリントや投影、表示、検索などが行えるようにしたスライドマウント及びその取扱機器を提供することを目的とする。
【００１０】
【課題を解決するための手段】
上記目的を達成するために、本発明では、マウント本体に写真フイルムピースを装着してなるスライドマウントにおいて、情報の読み書きが可能なＩＣメモリチップを備え、前記ＩＣメモリチップに前記写真フイルムピースに関する情報を記憶するようにしている。なお、前記ＩＣメモリチップは、非接触で前記情報の読み書きを行うためのアンテナコイルを含む通信回路と、非接触で電力を得るための受電アンテナコイルを含む電源回路と、ＩＣメモリ本体と、このＩＣメモリ本体への前記情報の読み書きを制御するコントローラとを備えることが好ましい。また、請求項１または２記載のスライドマウントを取り扱う装置では、前記マウント本体に前記写真フイルムピースを装着する際にこの写真フイルムピースに関する情報を前記ＩＣメモリチップに書き込み、前記写真フイルムピースを用いてプリント、投影、表示、検索のいずれかを行う際に前記情報を読み出し、この読み出した情報を用いてプリント、投影、表示、検索のいずれかを行うようにしている。
【００１１】
【発明の実施の形態】
図１は、本発明のスライドマウントを示しており、（Ａ）は正面図、（Ｂ）は（Ａ）におけるＢ−Ｂ線に沿う断面図である。スライドマウント１０は、写真フイルムピース１１とこれを保持するマウント本体１２とＩＣメモリチップ（無線タグ（ＲＦＩＤ（Ｒａｄｉｏ　Ｆｒｅｑｕｅｎｃｙ　Ｉｄｅｎｔｉｆｉｃａｔｉｏｎ）タグ））１３とから構成されている。マウント本体１２は、二つ折り可能に構成されており、この中に写真フイルムピース１１をセットしてマウント本体１２を閉じるように重ね合わせ、二つ折りされたマウント本体１２を突起１５と穴１６とからなる嵌合部材１４で重ね合わせた状態で保持することにより、構成されている。
【００１２】
マウント本体１２は、矩形の窓１２ａ，１２ｂを備えている。この窓１２ａ，１２ｂは写真フイルムピース１１の画像サイズと略同じアスペクト比で、写真フイルムピース１１の画像サイズよりも幾分小さめになっていて、写真フイルムピース１１の周囲を隠すとともに、写真フイルムピース１１の画像１１ａを窓１２ａ，１２ｂから露呈させている。
【００１３】
ＩＣメモリチップ１３は本実施形態ではマウント本体１２を成形する際に埋め込まれて、一体に形成されている。ＩＣメモリチップ１３は１ｍｍ角以下で厚みが０．５ｍｍ以下で構成されており、１チップ内にメモリと制御回路が含まれている。なお、ＩＣメモリチップ１３はマウント本体１２に埋め込む代わりに、単に写真フイルムピースと同じように、マウント本体１２の間に挟み込むように保持してもよく、さらには接着剤などで固着したものであってもよい。
【００１４】
図２はＩＣメモリチップの概略構成を示すブロック図である。ＩＣメモリチップ１３は基板２０上に設けられた通信回路２１、電源回路２２、メモリ本体２３、コントローラ２４から構成されている。通信回路２１は、後に説明するスライドマウント加工装置、写真プリンタ、スライドビュアなどの各種機器３０の情報通信手段３１から非接触で情報の読み書きをするための通信アンテナコイル２５を含む。電源回路２２は、各種機器３０の情報通信手段３１から非接触で電源を得るための受電アンテナコイル２６とコンデンサ２７とを含む。これらアンテナコイル２５，２６は図１に示すようにマウント本体１２の表面に形成されている。メモリ本体２３は、読み書き可能な不揮発性のＩＣメモリから構成されている。コントローラ２４は、前記通信回路２１を介してメモリ本体２３からの情報の読み書きを制御する。
【００１５】
通信アンテナコイル２５は各種機器３０の情報通信手段３１とアンテナコイル３１ａを介して電磁気結合されており、情報通信手段３１からの信号に基づき、情報通信手段３１と通信回路２１との間で通信を行って、メモリ本体２３に各種情報を書き込んだり、読み取ったりする。受電アンテナコイル２６は、各種機器３０の情報通信手段３１からアンテナコイル３１ｂを介して電磁気結合により電力を供給するためのものである。この電力はコンデンサ２７に蓄えられ、ＩＣメモリチップ１３内の各回路を駆動するための電源となる。これらアンテナコイル２５，２６はフイルム状の薄い支持体に印刷されたものであり、２０ｍｍ程度の大きさであり、ＩＣメモリチップ１３と同じようにマウント本体２３の成形時に一体に埋め込まれる。また、埋め込む代わりに、マウント本体２３の表面に直接に印刷したものであってもよい。
【００１６】
コントローラ２４は、通信回路２１のデータ要求に基づいて、メモリ本体２３に記憶されている写真フイルムピース１１に関する情報を読み出すとともに、各種機器３０の情報通信手段３１から通信回路２１を介して加えられる写真フイルムピース１１に関する情報をＩＣメモリチップ１３に書き込む。また、各種機器３０の情報通信手段３１から通信回路２１を介して加えられるデータ追加書き込み要求やデータ書換え要求に基づいて、コントローラ２４はメモリ本体２３に記憶されている写真フイルムピース１１に関する情報を追加書き込みあるいは書き換える。
【００１７】
スライドマウント１０の写真フイルムピース１１に関する情報としては、写真フイルムの種類に関するＤＸコード情報、顧客が撮影時にカメラで記録した個々のコマに関する撮影データや日時や場所の情報、現像所やプリントショップでの顧客のオーダー番号、プリント希望サイズやプリント枚数、プリント時の露光補正情報などがあるが、これらに限定されない。これらの情報は、写真フイルムに直接記録されていなくても、カメラに装着したメモリから読み出した情報（例えば、撮影場所、日時、天候や撮影光の状況、表題等のデータ）であってもよい。また、注文受け付け時に受けた各種撮影情報などであってもよい。
【００１８】
図３は、本発明のスライドマウント加工装置の要部の概略を示す正面図である。スライドマウント加工装置４０は、情報読取ステージ４１と、ルーパー４２と、マウント圧着ステージ４３と、情報書込ステージ４４と、コントローラ４５と、情報処理部４６とを備えている。
【００１９】
情報読取ステージ４１には、フイルム情報読取器４７が配置されている。このフイルム情報読取器４７は、光学情報読取センサ４７ａと磁気読取ヘッド４７ｂとから構成されており、長尺の写真フイルム３９に記録された各コマの情報を読み取る。光学情報読取センサ４７ａは、写真フイルム３９の側縁部に記録されているＤＸ用バーコード及びコマ番号用バーコードを読み取る。また、磁気読取ヘッド４７ｂは写真フイルム３９がＩＸ２４０タイプの場合に透明磁気記録層からＤＸコード、コマ番号、各種撮影情報などを読み取る。これら読取センサ４７ａ及び磁気読取ヘッド４７ｂからの信号は情報処理部４６に送られる。
【００２０】
情報処理部４６にはキーボードやマウスなどからなる追加情報入力器４８が接続されている。この追加情報入力器４８により必要に応じて追加情報が入力される。このようにして入力された追加情報やフイルム情報読取器４７からのフイルム情報はコントローラ４５に送られる。
【００２１】
マウント圧着ステージ４３には、フイルムカッタ５０と、マウント本体カートリッジ５１と、圧着器５２とが設けられている。フイルムカッタ５０は、写真フイルム３９を各コマ毎に切断する。マウント本体カートリッジ５１には多数のマウント本体１２が収納されており、このマウント本体カートリッジ５１からマウント本体１２が１個ずつ圧着器５２に供給される。圧着器５２は圧着手段とフイルムピース挿入手段とを備えている。
【００２２】
圧着手段は、マウント本体１２を開いた状態でこれを圧着位置で保持しており、フイルムピース挿入手段から送られてフイルムピース１０がマウント本体１２の所定位置にセットされると、マウント本体１２を閉じた後に圧着する。これにより、マウント本体１２は閉じられて嵌合手段１４（図１参照）により閉じた状態が保持され、スライドマウント１０とされる。圧着器５２で作成されたスライドマウント１０は情報書込ステージ４４へ送られる。
【００２３】
情報書込ステージ４４では、図２に示す情報通信手段３１により、写真フイルムピース１１のＤＸコード、コマ番号、受付ＩＤ情報としてのオーダー番号、必要に応じて入力される撮影情報などが書き込まれる。したがって、スライドマウント１０が各オーダー単位の１まとまりから何らかの原因で脱落などした場合であっても、ＩＣメモリチップ１３に記録されているオーダー番号を読み取ってこれに基づき照合することで、簡単に元のオーダー内に戻すことができるようになる。
【００２４】
図４は、コントローラ４５における処理手順を示すフローチャートである。まず、情報読み取りステージ４１で長尺写真フイルム３９からＤＸコード、コマ番号、撮影情報などの各種情報が読み取られる。次に、この読み取った情報がオーダー番号及びコマ番号に対応させて情報処理部４６へ格納される。次に、カッタ５０により写真フイルム３９の各コマが切り離されてコマ順に写真フイルムピース１１にされる。この写真フイルムピース１１は、マウント圧着ステージ４３へ送られ、ここで、圧着手段によってマウント本体１２に挟み込まれ、スライドマウント１０が作成される。スライドマウント１０は、切断して得られる写真フイルムピース１１の順番に作成される。情報処理部４６からは、スライドマウント１０を作成した順序で写真フイルムピース１１の情報が読み出されて、情報通信手段３１を介して、ＤＸコード、コマ番号、撮影情報などの各種情報がＩＣメモリチップ１３に非接触式で書き込まれる。
【００２５】
図５は、本発明のスライドマウント１０を用いる写真プリンタの要部を示す概略の正面図である。この写真プリンタ６０は、画像データ入力部６１とプリント部６２とから構成されている。画像データ入力部６１は、フイルムキャリア６３を有するフイルムスキャナ６４、情報通信手段３１、モニタ用ディスプレイ６５、追加情報入力器６６、コントローラ６７、画像情報メモリ６８から構成されている。プリント部６２は、画像情報メモリ７１、印画紙供給部７２、裏印字ユニット７３、走査露光部７４、現像処理部７５、コントローラ７０から構成されている。
【００２６】
フイルムキャリア６３はスライドマウントカートリッジ７６及び移動ベンチ７７を備えており、移動ベンチ７７により画像読取位置へ読取対象スライドマウント１０を送る。この送り中に、情報通信手段３１を介してＩＣメモリチップ１３から各スライドマウント１０のオーダー番号、コマ番号、ＤＸコードなどの情報が読み取られる。次に、画像読取位置で読取対象スライドマウント１０を移動ベンチ７７により往復動させてフイルムスキャナ６４によってスライドマウント１０の画像を読み取る。この読み取りはプレスキャンと本スキャンとにより行われる。
【００２７】
プレスキャンでは、画像濃度等の概略の情報を読み取る。そして、ＩＣメモリチップ１３から読み取った情報とプレスキャンデータとに基づき、本スキャンの際の読み取り条件を決定する。また、プレスキャンの際には、スライドマウント１０の写真フイルムピース１１に対する撮像光学系のピント合わせが行われる。本スキャンでは、プレスキャンによって条件設定された最適条件でスライドマウント１０の画像が読み取られる。この読み取った画像情報はＩＣメモリチップ１３の撮影情報などとともに、オーダー番号、コマ番号に基づき識別されて、画像情報メモリ６８に格納される。そして、コントローラ６７によりプリント部６２の画像情報メモリ７１へ転送される。
【００２８】
プレスキャンにおいては、必要に応じて、読み取った画像情報に基づきディスプレイ６５に画像がシミュレート表示される。オペレータはこのディスプレイ６５の画像を観察して補正が必要な場合には追加情報入力器６６から補正情報を入力する。この補正情報はコントローラ６７により情報通信手段３１を介してスライドマウント１０のＩＣメモリチップ１３へ情報の追加書き込みや書き換えとして記憶される。
【００２９】
ＩＣメモリチップ１３から読み取ったＤＸコード情報はコントローラ６７における画像出力の補正のためのパラメータとして用いられる。コマ番号や撮影データ、題名等の画像コマ個々の情報およびオーダー番号等は、裏印字ユニット７３で印画紙６９の裏面に印字出力される。裏印字ユニット７３を通ってきた印画紙６９には走査露光部７４において走査露光されて画像が記録される。本スキャンにおけるフイルムスキャナ６４で読み取られたスライドマウント１０のデジタル画像情報は、スライドマウント１０のＩＣメモリチップ１３から読み取られたＤＸコード情報と、追加情報入力器６６による追加情報とに基づいて画像処理されて適正化される。走査露光部７４を通った印画紙６９は、現像処理部７５で現像処理されてプリントが得られる。
【００３０】
図６は、画像出力系と裏印字出力系への情報の流れを示す概略図である。スライドマウント１０の写真フイルムピース１１の画像情報はフイルムスキャナ６４で読み取られ、オートセットアップ演算部８０に送られる。また、スライドマウント１０のＩＣメモリチップ１３からの情報は、情報通信手段３１を介して読み取られ、オートセットアップ演算部８０及び裏印字ユニット７３に送られる。
【００３１】
オートセットアップ演算部８０では、ＩＣメモリチップ１３から読み出した情報のうち、ＤＸ情報や補正情報と、フイルムスキャナ６４からの画像情報とに基づき、演算パラメータを算出し、この演算パラメータと画像情報とを画像処理部８１に送る。画像処理部８１では演算パラメータ及び画像情報を用いて画像処理を行い、適正画像に補正する。この画像処理された画像情報はメモリ６８，７１を介して走査露光部７４に送られて、この画像情報に基づき印画紙６９が走査露光されて、画像が記録される。
【００３２】
裏印字ユニット７３では、ＩＣメモリチップ１３から読み出した情報のうちの、オーダー番号、コマ番号、撮影日時情報に基づき、印画紙６９の裏面にこれらの情報が記録される。また、追加情報入力器６６から入力された付加情報や書き換えられた情報があるときには、修正された内容でこれらの情報が印字される。そして、プリント枚数は走査露光部７４と裏印字ユニット７３へ入力され、枚数分の画像の走査露光と裏印字が行われる。露光済み印画紙６９は、現像処理部７５へ送られ、現像処理される。
【００３３】
なお、著作権コードをＩＣメモリチップ１３に書き込んでおいてもよく、この場合には、ＩＣメモリチップ１３から著作権コードが読み取られたときには、そのスライドマウント１０を用いたプリントについては、プリントを行わないように制御してもよい。
【００３４】
図７は、本発明のスライドマウントを用いるスライドビュアの概略図である。スライドビュア８５には情報通信手段３１と追加情報入力器８６とディスプレイ８７とコントローラ８８とスクリーン８９とが設けられていて、スライドマウント１０の写真フイルムピース１１の画像をスクリーン８９に投影する。また、スライドマウント１０のＩＣメモリチップ１３に書き込まれている各種情報が情報通信手段３１を介して読み取られ、この情報がコントローラ８８を介してディスプレイ８７に表示される。そして、ディスプレイ８７を見て追加情報入力器８６を操作し、情報通信手段３１を介して撮影場所等の情報をＩＣメモリチップ１３へ追加したり書き換えたりすることができる。なお、このスライドビュア８５はスライドプロジェクタ方式としてもよい。また、音声入力器９１から音声を追加情報入力器８６を介して入力してもよく、この場合には音声データがＩＣメモリチップ１３へ書き込まれる。
【００３５】
なお、スライドマウントの画像を拡大して投影するスライドビュア８５の代わりに、図８に示すような複数のスライドマウント１０が載せられるライトパネル１００を備えたスライドビュア１０１に本発明を実施してもよい。この場合にも、スライドビュア１０１に、前記実施形態と同じような情報通信手段３１とディスプレイ８７とコントローラ８８とを設けて、スライドマウント１０に関する各種情報の読み取り、表示などを行う。さらには、必要に応じて前記実施形態と同じような追加情報入力器８６を設けてもよく、この場合には新規情報の書き込みも可能になる。
【００３６】
図９は、ディスプレイ８７に表示される表示画像８７ａの一例を示しており、この例では、マウント識別情報、フイルム種別情報、撮影日情報、コマ番号、撮影者情報、撮影地情報、絞りやシャッタ速度の情報、シーンの種別情報などが表示されている。
【００３７】
スライドマウント１０が現像所やプリントショップから顧客の手に渡った後は、スライドマウント１０は個々に取り扱われる場合がほとんどである。したがって、スライドマウント１０から印画紙等へのプリントの注文においては、異なる時期に作成されたもの、あるいは異なる現像所で仕上がったものが混在している。このような事情にあるので、図７に示したスライドビュア８５では、追加情報入力器８６を操作して顧客毎のオーダー番号の追加書き込みあるいは書換えを行う機能を持たせている。これにより、新件としてスライドマウント１０からプリントを受け付けるときに、このスライドビュア８５を受付器としても用いることもできる。また、迷子のスライドマウントが発生したときには、このビュア８５を用いることで、迷子のスライドマウントのオーダー番号を確認し、元のオーダー番号の１まとまりに戻すことができる。また、迷子のスライドマウントに対しては、情報通信手段３１によりオーダー番号を読み取って自動的に仕分けるようにしてもよい。
【００３８】
図１０は本発明のスライドマウント１０ａ〜１０ｃ，・・・を用いたスライド検索器を示している。このスライド検索器１１０は携帯電話と同じようなハンディタイプに構成されており、アンテナ１１１、ディスプレイ１１２、キー入力部１１３、図示しないコントローラなどを備えている。この場合には各スライドマウント１０ａ〜１０ｃ，・・・のメモリに予めマウント識別情報、撮影日時、撮影者、撮影場所、分類コードなどの情報を記録しておく。マウント識別情報は独自に割り振って構成する代わりに、オーダー識別番号とコマ番号とを組み合わせて構成してもよい。検索器１１０では、検索目標の情報を入力した後に、検索対象の各スライドマウント１０ａ〜１０ｃ，・・・に近接させることで、各スライドマウント１０ａ〜１０ｃ，・・・から各種情報を読み出し、この読み出した情報と予め入力した検索目標情報とが一致するか否かを判定し、一致した場合に検索対象スライドマウントであることをディスプレイ１１２に表示したり、検索ヒットのアラームを鳴らす。なお、人手により検索対象スライドマウントに検索器１１０を近接させて情報の読み書きを行う代わりに、各スライドマウントに近接させて検索器を移動させる検索器移動手段を用いて、自動的に検索を行うようにしてもよい。この場合には、検索したスライドマウントをこの移動手段を用いて取り出すためのマウント取出しハンドを移動手段に設けることが好ましい。
【００３９】
なお、ＩＣメモリチップ１３からのデータの読み込み、書き出しを非接触方式で行ったが、これに代えて電極などを介して接触式で行ってもよい。また、非接触方式によるデータ転送は、上記実施形態の電磁気結合方式に限定されることなく、赤外線通信、無線通信などで行ってもよい。
【００４０】
また、ＩＣメモリチップ１３には、各種情報を併せて記憶してもよい。例えば、音声情報、写真フイルムピースの画像情報そのもの、またはそのサムネイル画像、動画情報、その他の画像に関する各種情報を記録してよい。また、ＩＣメモリチップ１３に広告情報を記録しておき、画像情報などをディスプレイに表示する際に、その一部に広告情報を表示してもよい。この場合には、広告情報掲載料としてその分だけフイルムマウント１０を低価格で提供することができる。
【００４１】
本発明におけるスライドマウントに用いる写真フイルムピースはポジフイルムが通常であるが、ネガフイルムに適用してもよい。また、マウント本体を突起と穴とからなる嵌合手段１４により保持しているが、これは他の接着などによる保持手段を用いてもよい。また、本発明におけるスライドマウントには、以上に説明してきたような本来の意味でのスライドマウントの他に、アパーチュアカードなどのカード形態のものも含まれる。
【００４２】
【発明の効果】
本発明によれば、マウント本体に写真フイルムピースを装着してなるスライドマウントにおいて、情報の読み書きが可能なＩＣメモリチップを備え、前記ＩＣメモリチップに前記写真フイルムピースに関する情報を記憶したから、写真フイルムピースをマウント本体から取り出してＤＸコードやコマ番号などを確認する必要がなく、簡単にこれら情報を取り出すことができる。したがって、これら情報を利用して高品質な画像を作成することができるようになる。また、記録することができる情報量が飛躍的に増大するため、今までは記録することができなかった作品に関連した付帯情報を記録することが可能になり、プリント時の高画質化、整理、検索、著作権保護などが容易に実現可能になる。また、写真フイルムピースに接触せずとも情報を読み出すことができ、迷子コマ探しや、分別仕分けも容易になる。さらに、ＩＣメモリチップに非接触式の通信手段を設けることにより、外見的には通常のフイルムマウントと同じになり、取り扱いが容易になる。
【００４３】
写真フイルムピースに関する情報を前記ＩＣメモリチップに書き込み、前記写真フイルムピースを用いてプリントまたは投影する際に前記情報を読み出し、この読み出した情報を用いてプリントまたは投影するから、ＩＣメモリチップに記憶した情報に基づきプリント及び投影が可能になり、画質の優れた画像をプリントまたは投影することができる。また、音声情報やその他の撮影情報などをＩＣメモリチップに記録することにより、スライドマウントの利用価値を高めることができる。
【図面の簡単な説明】
【図１】本発明のスライドマウントを示すもので、（Ａ）は正面図、（Ｂ）は側面図である。
【図２】ＩＣメモリチップとこのＩＣメモリチップから情報を読み出す各種機器との概略を示すブロック図である。
【図３】スライドマウント加工装置の要部を示す概略図である。
【図４】スライドマウント加工装置における処理手順を示すフローチャートである。
【図５】スライドマウントを用いた写真プリンタの要部を示す概略図である。
【図６】写真プリンタにおける情報の流れを示すブロック図である。
【図７】スライドビュアを示す概略のブロック図である。
【図８】他の実施形態におけるスライドビュアの正面図である。
【図９】ディスプレイの表示画面の一例を示す正面図である。
【図１０】マウント検索器の一例を示す正面図である。
【符号の説明】
１０　スライドマウント
１１　写真フイルムピース
１２　マウント本体
１３　ＩＣメモリチップ
３１　情報通信手段
３９　長尺写真フイルム
４０　スライドマウント加工装置
５１　マウント本体カートリッジ
５２　圧着器
６０　写真プリンタ
７６　スライドマウントカートリッジ
８５，１０１　スライドビュア
１１０　スライド検索器
【図１】
2004094129.tif 000003
【図２】
2004094129.tif 000004
【図３】
2004094129.tif 000005
【図４】
2004094129.tif 000006
【図５】
2004094129.tif 000007
【図６】
2004094129.tif 000008
【図７】
2004094129.tif 000009
【図８】
2004094129.tif 000010
【図９】
2004094129.tif 000011
【図１０】
2004094129.tif 000012